(57)【要約】【課題】  簡易ベッド兼用ソファであって、通常のソファとして使用する際にコンパクトであると共に、ベッドとして使用する場合にその長さを充分長くし且つ、その姿勢変化を多種にできると共に、左右対称にそれを形成できるものの提供。【解決手段】  座部５の長さを基部１の長さに略等しくし、座部フレーム４を三等分してその中央フレーム4aのみを基部１に固定する。そしてその中央フレーム4aの両側に一対の側部フレーム4bを設け、夫々の側部フレーム4bに肘掛けフレーム６を接続し、各フレームどうしはラチェット型のヒンジ機構で接続する。そして肘掛け部７を平坦に形成できると共に、そのとき肘掛け部７が基部１から長手方向両側に突出するように構成する。【選択図】        図１
2007289324.tif 000002
【特許請求の範囲】
【請求項１】
細長い基部(1) の幅方向の一方側に背もたれ部(2) を一体的に有し、その基部(1) 上に、クッション材(3) と座部フレーム(4) とを有する座部(5) が設けられ、
その座部(5) の両側に肘掛けフレーム(6) を有する肘掛け部(7) が配置されたソファにおいて、
前記座部(5) は、その長さが基部(1) の長さに略等しく且つ、その長手方向に前記座部フレーム(4) が略三等分されて、中央フレーム(4a)とその両側の一対の側部フレーム(4b)(4b)を有し、
前記中央フレーム(4a)のみが前記基部(1) に平行に固定され、
一対の側部フレーム(4b)(4b)の一端側が中央フレーム(4a)にラチェット型のヒンジ機構(8) を介して複数の傾き位置に回動自在に接続されると共に、他端側が前記肘掛けフレーム(6) にラチェット型のヒンジ機構(9) を介して複数の傾き位置に起倒自在に接続され、  そのヒンジ機構(9) を介して両肘掛けフレーム(6) を倒伏させたとき、前記座部(4) と両肘掛け部(7) を平坦に形成できると共に、両肘掛け部(7) が前記基部(1) からその長手方向の両側に突出するように構成されたことを特徴とするソファ。
【発明の詳細な説明】
【技術分野】
【０００１】
本発明は、座部と背もたれ部と一対の肘掛け部とを有するソファであって、簡易ベッドとして利用できるものに関する。
【背景技術】
【０００２】
背もたれ部を有するソファであって、その座部の両側に肘掛け部を有し且つ、その長手方向に屈曲自在なものとして、下記特許文献１に記載のものが提案されている。
これは、ソファの座部の長手方向両側に僅かに傾斜した肘掛け部を有し、座部のフレームが長手方向に三つ折りに折り曲げられるように形成されている。座部を平坦に形成したときの長さは、ソファの基部長さに等しい。そして座部の長手方向を座椅子状に起こし、膝部を山形に曲折できる構造となっている。
【０００３】
【特許文献１】特開２００４−３２１３８４号公報
【発明の開示】
【発明が解決しようとする課題】
【０００４】
従来の背もたれ部を有するソファであって、座部が起き上がる上記のソファは、その座部を平坦にしたときの全長と、基部および背もたれ部の長さが同一となっている。そのため、通常のソファとして使用するときは、全体として長さが長くなり、場所をとり、コンパクト性に欠ける欠点がある。
それと共に、座部は座椅子状に折れ曲がるものであり、その形状は膝部がくの字状に折れ曲がり、背部は所定角度に傾斜するに過ぎない。そのため、状況に応じて各種の姿勢をとることが難しい。
そこで本発明は、背部および頭部並びに足部の各姿勢を任意に取り得る使い勝手の良いソファであって、通常のソファとして使用するときは、長さが短くなり、コンパクトなものを提供することを課題とする。
【課題を解決するための手段】
【０００５】
本発明は、細長い基部(1) の幅方向の一方側に背もたれ部(2) を一体的に有し、その基部(1) 上に、クッション材(3) と座部フレーム(4) とを有する座部(5) が設けられ、
その座部(5) の両側に肘掛けフレーム(6) を有する肘掛け部(7) が配置されたソファにおいて、
前記座部(5) は、その長さが基部(1) の長さに略等しく且つ、その長手方向に前記座部フレーム(4) が略三等分されて、中央フレーム(4a)とその両側の一対の側部フレーム(4b)(4b)を有し、
前記中央フレーム(4a)のみが前記基部(1) に平行に固定され、
一対の側部フレーム(4b)(4b)の一端側が中央フレーム(4a)にラチェット型のヒンジ機構(8) を介して複数の傾き位置に回動自在に接続されると共に、他端側が前記肘掛けフレーム(6) にラチェット型のヒンジ機構(9) を介して複数の傾き位置に起倒自在に接続され、  そのヒンジ機構(9) を介して両肘掛けフレーム(6) を倒伏させたとき、前記座部(4) と両肘掛け部(7) を平坦に形成できると共に、両肘掛け部(7) が前記基部(1) からその長手方向の両側に突出するように構成されたことを特徴とするソファである。
【発明の効果】
【０００６】
本発明のソファは、座部フレーム４が三等分され、その中央フレーム4aのみが基部１に平行に固定され、その両側の側部フレーム4bおよび肘掛けフレーム６が夫々ヒンジ機構８，ヒンジ機構９によって、複数の傾き位置を維持できるように回動自在に接続されているから、ソファを簡易ベッドとして使用したとき、その座部５および肘掛け部７の姿勢を多種に変化することができる。それにより、足を伸ばした状態でその足部および背部および頭部を好みの姿勢に傾斜にすることができる。
さらには、中央フレーム4aを中心にその左右を対称形にして、ベットの使用形態では左右いずれの側にも頭を位置し、任意の姿勢で仰臥できると共に、一例として、大人と子供とが頭を逆向きにして並んで仰臥し、或いは座って互いに足を伸ばすことができる。
しかも、夫々の頭部および肩部の姿勢を任意にとることができる。
また、肘掛け部７を起立させた状態では、場所をとらずコンパクトになる。それと共に、肘掛けを倒伏した状態では、長さの長いゆったりとした簡易ベットとなる。
【発明を実施するための最良の形態】
【０００７】
次に、図面に基づいて本発明の実施の形態につき説明する。
図１は本発明のソファの要部斜視図であって、クッション材を取り除いた状態を示す略図、図２は同ソファの使用状態の一例を示す説明図、図３はその座部５および肘掛け部７を平坦に形成した正面説明図、図４は一対の肘掛け部７を起立させた状態を示す正面説明図、図５は一方側の側部フレーム4bを中央フレーム4aに対し僅かに傾斜させた状態を示す正面説明図、図６はさらに肘掛けフレーム６をヒンジ機構９の周りに傾斜させた状態を示す正面説明図、図７はさらに他方側の肘掛けフレーム６を傾斜させた状態を示す説明図、図８は一対の肘掛けフレーム６のみを左右対称に僅かに傾斜させた状態を示す正面説明図である。また、図10は図１のＸ部拡大断面図である。
【０００８】
このソファは、四本の脚部10が四隅に配置された基部１の幅方向一側に背もたれ部２が一体に取付けられたものである。そして、その基部１上に図４に示す如く座部５が設けられ、座部５の長手方向両側に肘掛け部７が配置されている。座部５および肘掛け部７はそのクッション材３の内部にパイプ材よりなる座部フレーム４と肘掛けフレーム６とを有し、それらがラチェト型のヒンジ機構９を介して回動自在に連結されている。そして図１および図４に示す如く、座部フレーム４の全長は基部１および背もたれ部２に略等しい。
【０００９】
座部フレーム４は、一対の平行なパイプ材よりなり、その長手方向が略３分割されたように形成され、その中央フレーム4aの両側に一対の側部フレーム4bが各一対づつのヒンジ機構８を介して接続されている。そして中央フレーム4aは一対の小脚部11を有し、各小脚部11が締結具12を介して基部１に固定されている。側部フレーム4bの端部には、コ字状に曲折された肘掛けフレーム６が一対づつのヒンジ機構９を介して回動自在に接続されている。
なお、平行な一対のパイプ材よりなる座部フレーム４の適宜位置には、各平行パイプ間を連結する補強パイプ14が取付けられる。そして肘掛けフレーム６，座部フレーム４には、クッション材３の保持材として図示しない布性の帯材が多数巻き付け固定されている。そして、その外周の両面にクッション材３が取付けられ、さらにクッション材３の外周に図示しないシート材若しくは革材が被覆される。
【００１０】
各フレームどうしを接続するヒンジ機構８およびヒンジ機構９は、夫々図10に示す如く、ラチェット型のものであり、各フレーム間の角度を任意の角度に維持できるものである。図10の例では、側部フレーム4bと肘掛けフレーム６とは一直線状に維持することができると共に、両者間を９０°の角度に維持することもできる。このヒンジ機構９は公知のものであり、第１部材18と第２部材19とが枢軸15によって軸支されると共に、その枢軸15にカム板17が回動自在に取付けられている。第１部材18は、外周に多数の歯部20が形成されると共に、爪16が一体に突設されている。また、第２部材19には、ピン23を介してストッパ21が軸支されると共に、そのストッパ21は捩じりバネ22によって歯部20側に付勢されている。ストッパ21の先端は、第１部材18の各歯部20間に整合する歯形になっている。
【００１１】
このようにしてなる第１部材18および第２部材19には、側部フレーム4b，肘掛けフレーム６が接続される。なお、中央フレーム4aと側部フレーム4b間を接続するヒンジ機構８も前記ヒンジ機構９と同様のものである。そして肘掛けフレーム６は、矢印方向に断続的に回動することにより、順次、各歯部20のピッチづつ肘掛けフレーム６を矢印方向に位置させ、その姿勢を維持できる。この例では、肘掛けフレーム６を９０°以上矢印方向に回動すると、爪16がカム板17の上側の係止面24に当接し、カム板17を回動させて、その外周のカム面がストッパ21を押し、それをその捩じりバネ22に抗して下方に移動させ、その先端を歯部20間から離反させる。すると、肘掛けフレーム６は時計方向に自由に回動することができる。
【００１２】
図10のヒンジ機構９では、肘掛けフレーム６が水平以下に回動すると、その爪16がカム板17の下側の係止面25に当接してカム板17を右回動させ、そのカム面をストッパ21から離してストッパ21の先端を歯部20間に歯合させる。すると再び、肘掛けフレーム６を矢印方向に順次回動して、各傾斜位置を維持することができる。
なお、ヒンジ機構９は図10のものに限らず、各種公知のものを利用できる。図９の説明で後述するヒンジ機構9aは、その歯部の範囲がより広く形成されている。
このような構造を有する本発明のソファは、図４に示す如く、座部５とその両側に位置する一対の肘掛け部７とを有する。肘掛け部７は、通常の使用状態で座部５に対して略直角にする。なお、通常使用で図４の状態から肘掛け部７を僅かに外側に開いた状態に維持することもできる。これらの使用状態では、背もたれ部２側にクッション13を配置することが好ましい。そして、その座部５上に複数人が並んで腰掛けることができる。
【００１３】
次に、図３は簡易ベッドとして使用する場合の姿勢であり、座部５の両側の一対の肘掛け部７が倒され、座部５と肘掛け部７は一平面に維持される。このとき、背もたれ部２上の一方のクッション13を肘掛け部７上に載せ、それを枕とすることができる。
次に、図５は軽い睡眠をとるとき等に利用でき、側部フレーム4bが中央フレーム4aに対し僅かに傾斜し、側部フレーム4bの延長上に肘掛けフレーム６が存在する。
次に、図６は人がその足を伸ばして上体を少し起こした状態で休憩を取り、或いは足を伸ばして読書するとき等に利用できる形であり、側部フレーム4bを中央フレーム4aに対して傾斜すると共に、側部フレーム4bに対して肘掛けフレーム６をくの字状に曲折したものである。
【００１４】
次に、図７は図６において右側の肘掛け部７も僅かに傾斜させた姿勢であり、足の踵をその上に載せて、伸ばした足を僅かに持ち上げ、足の疲れをとることができる姿勢である。或いは、図２に示す如く、小さな子供と大人、或いは二人の小さな子供どうしが休むとき、左右の肘掛け部７側に夫々の人の頭がくるように互いに逆向きに並んで仰臥することができる姿勢である。このとき、互いの腰の位置が離れるようにすれば、比較的ゆったりと足を伸ばして二者が休憩できる。
なお、図７において、右側の肘掛けフレーム６および側部フレーム4bも中央フレーム4aに対し左右対称にすることもできる。
【００１５】
次に、図８は左右の肘掛けフレーム６のみを僅かに傾斜させた例である。この例も、頭および足先を僅かに持ち上げて休憩することができる形である。
次に、図９は側部フレーム4bと肘掛けフレーム６とを回動自在に接続するヒンジ機構9aを新たなものとすることにより、ソファの長手方向一端部に膝を折り曲げた形状にすることができる。この場合のヒンジ機構9aは、図１０におけるヒンジ機構９の歯部20の範囲をより広くする必要がある。それと共に、カム板17の上側係止面24および下側係止面25の位置を変える必要がある。
【図面の簡単な説明】
【００１６】
【図１】本発明のソファの要部斜視図であって、クッション材を取り除いた状態を示す略図。
【図２】同ソファの一部破断正面図であって、座部５と肘掛け部７とが第１の姿勢を示すと共にその使用状態の一例である。
【図３】同ソファの第２の姿勢を示す正面説明図。
【図４】同ソファの第３の姿勢を示す正面説明図。
【図５】同ソファの第４の姿勢を示す正面説明図。
【００１７】
【図６】同ソファの第５の姿勢を示す正面説明図。
【図７】前記第１の姿勢を示す正面説明図。
【図８】同ソファの第６の姿勢を示す正面説明図。
【図９】同ソファの第７の姿勢を示す正面説明図。
【図１０】図１のＸ部の拡大断面図。
【符号の説明】
【００１８】
１  基部
２  背もたれ部
３  クッション材
４  座部フレーム
4a  中央フレーム
4b  側部フレーム
５  座部
６  肘掛けフレーム
【００１９】
７  肘掛け部
８  ヒンジ機構
９  ヒンジ機構
9a  ヒンジ機構
10  脚部
11  小脚部
12  締結具
13  クッション
【００２０】
14  補強パイプ
15  枢軸
16  爪
17  カム板
18  第１部材
19  第２部材
20  歯部
21  ストッパ
【００２１】
22  捩じりバネ
23  ピン
24  係止面
25  係止面
【図１】
2007289324.tif 000003
【図２】
2007289324.tif 000004
【図３】
2007289324.tif 000005
【図４】
2007289324.tif 000006
【図５】
2007289324.tif 000007
【図６】
2007289324.tif 000008
【図７】
2007289324.tif 000009
【図８】
2007289324.tif 000010
【図９】
2007289324.tif 000011
【図１０】
2007289324.tif 000012